(57)【要約】【課題】  薬液が必要以上に排出されてしまうことなく、薬液容器の交換が早くなることなく薬液が持つ上に、部品点数を少なくしてコストを下げることができる水洗タンク用薬液供給具を提供する。【解決手段】  水が入出する水入出部を有する供給具本体と、薬液を流出させる流出部を有する薬液容器と、上端部が流出部に連通されると共に、下端部が水入出部に位置されて薬液を水入出部に導く導出部材と、導出部材の下端部の開口部に閉塞するように当接し、かつ、この当接した箇所から水入出部への水の流入方向に対して略直交する水流入直交方向に延びると共に薬液が流入して保持する液担持部を有する液保持部材とを備え、水入出部に流入した水によって液担持部に保持された薬液が水入出部から水と共に流出するように構成したことにより、前記の課題を解決した。【選択図】        図２
2006299608.tif 000002
【特許請求の範囲】
【請求項１】
水が流れる水洗タンクの上部に載置され、前記水が入出する水入出部を有する供給具本体と、
この供給具本体に装着され、薬液が収容されていると共にこの薬液を流出させる流出部を有する薬液容器と、
前記供給具本体に設けられ、上端部が前記流出部に連通されると共に、下端部が前記水入出部に位置されて前記薬液容器内の薬液を前記水入出部に導く導出部材と、
前記水入出部内に設けられ、前記導出部材の下端部の開口部に閉塞するように当接し、かつ、この当接した箇所から前記水入出部への前記水の流入方向に対して略直交する水流入直交方向に延びると共に前記薬液が流入して保持する液担持部を有する液保持部材とを備え、
前記水入出部に流入した水によって前記液担持部に保持された前記薬液が前記水入出部から前記水と共に流出するように構成したことを特徴とする、水洗タンク用薬液供給具。
【請求項２】
液保持部材を、前記導出部材の下端部の開口部を閉塞するように該開口部に当接する矩形板状の当接部と、この当接部の対向する２辺からそれぞれ一体的に前記水流入直交方向に延びると共に下方へ傾斜した液供給部と、前記当接部に設けられた２個以上の溝及びこれら溝のうち前記導出部材の開口部の略中央に位置され、前記液供給部の先端部又はその先端部近傍まで延びる保持溝からなる前記液担持部とで構成したことを特徴とする、請求項１に記載の水洗タンク用薬液供給具。
【請求項３】
導出部材の下端部に、略筒状の導出形成部材を設けたことを特徴とする、請求項１又は２に記載の水洗タンク用薬液供給具。
【請求項４】
前記水入出部が、前記供給具本体の底部に略矩形箱状に形成され、該水入出部の対向する両側面に、前記水が入出する開口部がそれぞれ設けられ、該水入出部の上面として前記導出部材が設けられていることを特徴とする、請求項１〜３のいずれか１項に記載の水洗タンク用薬液供給具。
【請求項５】
前記供給具本体の底面に、該底面から下方に延び、前記水洗タンクの上部の排水口に挿入される脚部を設けたことを特徴とする、請求項１〜４のいずれか１項に記載の水洗タンク用薬液供給具。
【発明の詳細な説明】
【技術分野】
【０００１】
本発明は、水洗トイレにおける水洗タンクの上部に載置されて使用される水洗タンク用薬液供給具に関するものである。
【背景技術】
【０００２】
洗浄液等の薬液を水洗トイレの便器に供給する手段として薬液供給具が知られている。この薬液供給具は、水洗トイレの水洗タンクの上部に薬液容器を設置し、この薬液容器より少しずつ排出した薬液を、水洗タンクの上部に設置した水洗用の放水管から放出された水に溶かし込み、水と共に水洗タンク内に供給するものである。このような薬液供給具としては、下記する特許文献１に記載されたものが公知である。
【特許文献１】特開２００１−３４２６６６号公報
【発明の開示】
【発明が解決しようとする課題】
【０００３】
この特許文献１に記載された薬液供給具は、薬液容器と、これを支持する支持体とを備えており、この支持体の中に配置された含浸体に薬液容器から排出される薬液が吸収される。支持体は薬液容器とカバー部材とによってその上面が塞がれている。また、支持体の底部には複数の開口及びガイド部材が形成されており、水洗タンクの手洗い部に供給される流水がガイド部材によって開口へと案内されるように構成されている。そして、開口から支持体内へ流入した水は、含浸体に接触して薬液を洗い流し、水洗タンクへと流れ込む。
【０００４】
この薬液供給具では、カバー部材により薬液容器の上方から流下する水が含浸体に直接接触するのを防止するとともに、支持体の底部に開口及びガイド部材を設けることにより支持体内部への水の過剰な流入を制限している。
【０００５】
ところが、この薬液供給具では、支持体の内部に流入した水が含浸体に直接接触するため、含浸体に吸収された薬液は、この流水によって薄められていく。そのため、薬液容器からは薄まった薬液を補完するために必要以上に薬液が排出されやすく、容器内の薬液の減少が早いということがあった。その結果、薬液容器の交換が早くなってしまった。また、部品点数が多くコストが高いという問題もあった。
【０００６】
本発明は、前記課題を解決するためになされたものであって、その目的は、薬液が必要以上に排出されてしまうことなく、薬液容器の交換が早くなることなく薬液が持つ上に、部品点数を少なくしてコストを下げることができる水洗タンク用薬液供給具を提供することにある。
【課題を解決するための手段】
【０００７】
前記の目的を達成するための本発明に係る水洗タンク用薬液供給具は、水が流れる水洗タンクの上部に載置され、前記水が入出する水入出部を有する供給具本体と、この供給具本体に装着され、薬液が収容されていると共にこの薬液を流出させる流出部を有する薬液容器と、前記供給具本体に設けられ、上端部が前記流出部に連通されると共に、下端部が前記水入出部に位置されて前記薬液容器内の薬液を前記水入出部に導く導出部材と、前記水入出部内に設けられ、前記導出部材の下端部の開口部に閉塞するように当接し、かつ、この当接した箇所から前記水入出部への前記水の流入方向に対して略直交する水流入直交方向に延びると共に前記薬液が流入して保持する液担持部を有する液保持部材とを備え、前記水入出部に流入した水によって前記液担持部に保持された前記薬液が前記水入出部から前記水と共に流出するように構成したことを特徴とする。
【０００８】
この発明によれば、水入出部に水が流入すると、水が水入出部内を流れて薬液を液担持部から洗い流し、この薬液が水と共に水入出部から水洗タンク内に供給される。このとき、液担持部が水流入直交方向に延びているために、水入出部に流入した水が液担持部内をその液担持部に沿って流れ難いので、水が薬液容器に逆流して流入することが防止される。その結果、薬液が薄まることがなくなり、薬液が必要以上に排出されてしまうことがない。また、部品点数が少ないので、コストの低減を図れる。
【０００９】
本発明に係る水洗タンク用薬液供給具において、液保持部材を、前記導出部の下端部の開口部を閉塞するように該開口部に当接する矩形板状の当接部と、この当接部の対向する２辺からそれぞれ一体的に前記水流入直交方向に延びると共に下方へ傾斜した液供給部と、前記当接部に設けられた２個以上の溝及びこれら溝のうち前記導出部材の開口部の略中央に位置され、前記液供給部の先端部又はその先端部近傍まで延びる保持溝からなる前記液担持部とで構成したことが好ましい。また、本発明に係る水洗タンク用薬液供給具において、導出部材の下端部に、略筒状の導出形成部材を設けることが好ましい。また、本発明に係る水洗タンク用薬液供給具において、前記水入出部が、前記供給具本体の底部に略矩形箱状に形成され、該水入出部の対向する両側面に、前記水が入出する開口部がそれぞれ設けられ、該水入出部の上面として前記導出部材が設けられていることが好ましい。また、本発明に係る水洗タンク用薬液供給具において、前記供給具本体の底面に、該底面から下方に延び、前記水洗タンクの上部の排水口に挿入される脚部を設けることが好ましい。
【発明の効果】
【００１０】
以上説明したように、本発明に係る水洗タンク用薬液供給具によれば、液担持部が水流入直交方向に延びて設けられていることで、水が液担持部に沿って流れ難いために、水の液供給器への逆流が防止されるので、薬液が必要以上に排出されることがないと共に、部品点数が少なくなり、コストの低減を図れる。
【発明を実施するための最良の形態】
【００１１】
以下、本発明に係る水洗タンク用薬液供給具を添付図面に基づいて詳述する。
【００１２】
図１〜図３は本発明に係る水洗タンク用薬液供給具の一例を示す図である。
本発明に係る水洗タンク用薬液供給具は、水洗トイレの水洗タンク１１の上部に載置されて水洗タンク１１の上部の放水管から放出された水によって、芳香洗浄剤、消臭洗浄剤等の薬液Ｌを水と共に水洗タンク１１内に供給するものである。水洗トイレの水洗タンク１１としては、水洗タンク１１の上部で水が放出されるものであれば特に限定されず、例えば、水洗タンク１１の上部に給水受皿１２が設けられていると共に、水洗タンク１１の上部の隅に放水管１３が立設され、その放水管１３から給水受皿１２に向けて放出された水が給水受皿１２の排水口（図示せず）から水洗タンク１１内に供給されるものである。この水洗タンク１１の給水受皿１２の排水口に本発明に係る水洗タンク用薬液供給具１が載置され、この水洗タンク用薬液供給具１内を放水管１３からの水の一部が通過する。
【００１３】
本発明に係る水洗タンク用薬液供給具１は、図１〜図３に示すように、水が流れる水洗タンク１１の上部である給水受皿１２に載置され、前記水が入出する水入出部７を有する供給具本体２と、この供給具本体２に装着され、薬液Ｌが収容されていると共にこの薬液を流出させる流出部３１を有する薬液容器３と、供給具本体２に設けられ、上端部が前記流出部３１に連通されると共に、下端部が前記水入出部７に位置されて前記薬液容器３内の薬液Ｌを前記水入出部７に導く導出部材４と、前記水入出部７内に設けられ、前記導出部材４の下端部の開口に閉塞するように当接し、かつ、この当接した箇所から前記水入出部７への前記水の流入方向に対して略直交する水流入直交方向に延びると共に前記薬液Ｌが流入して保持する液担持部８を有する液保持部材５とを備え、前記水入出部７に流入した水によって前記液担持部８に保持された前記薬液Ｌが前記水入出部７から前記水と共に流出するように構成したことに特徴がある。
【００１４】
供給具本体２は、図２〜図４に示すように、薬液容器３が装着される装着部２１を有する。装着部２１は、上部が開口されたカップ状に形成されている。装着部２１の開口は円形状に形成されている。この装着部２１の開口の縁部には、装着部２１の周囲を覆い隠すように外形部２２が設けられている。外形部２２は、開口の縁部から装着部２１の高さ方向の略中央部より下方の位置であって装着部２１の周囲に垂下されている。この外形部２２の下端部が略長円状に形成されている。
【００１５】
装着部２１は、上部から略中央部が略円形状に形成されて、薬液容器３が装着される箇所となっている。薬液容器３は、薬液Ｌを収容するものであり、例えば、球体状に形成されている。この薬液容器３の一部は、その径方向外方に管状に延びて流出部３１として形成されている。この流出部３１の開口には、この開口に嵌合して開口をシールするシール部材３２が設けられている。
【００１６】
また、装着部２１の下部は、外形部２２の下端部の長手方向と長手方向が略同じ方向になる略矩形状の水入出部７が設けられている。水入出部７の底面すなわち供給具本体２の底面には、底面から下方に延び、給水受皿１２の排水口に挿入される挿入脚部２４が１つ又は２個以上図示例では２つ設けられている。また、水入出部７の底面の４隅近傍には、排水口付近の給水受皿１２に接する当接脚部２５がそれぞれ設けられている。供給具本体２の略中央部には、導出部材４が着脱可能に取り付けられ、この導出部材４によって薬液容器３が装着される装着部２１と水入出部７とが仕切られる。
【００１７】
導出部材４は、図２、図３及び図５に示すように、略矩形状に形成されている。導出部材４の上面の略中央部には、接続部４１が立設されている。接続部４１は、薬液容器３の流出部３１と接続されるもので、先端が鋭利な筒状に形成されている。接続部４１の径は、薬液容器３の流出部３１の内径より若干小さな寸法で形成されていることが好ましく、これにより、接続部４１が薬液容器３の流出部３１内に挿入されて接続されたときには薬液容器３が接続部４１から抜け難くなっている。また、接続部４１の長さ（軸方向の長さ）は、接続部４１を薬液容器３の流出部３１内に挿入して接続するときに、その先端部が薬液容器３の流出部３１のシール部材３２を突き破る寸法で形成されていることが好ましい。また、接続部４１内には、薬液Ｌの導出部４２への過剰な流入を抑制する抑制部４５が設けられている。
【００１８】
導出部材４の下面は、略凹状に形成されている。この導出部材４の長さが短い両側部（短側部ということがある。）近傍には、後述するフック２６が短側部に係合し易くする係合案内部４３が下方にそれぞれ突設されている。導出部材４の下面の略中央部には、導出部４２が立設されている。導出部４２は、接続部４１と同軸上で接続部４１と連通する円筒状に形成されている。導出部４２の径は、接続部４１の径より小さな寸法で形成されていることが好ましい。この導出部４２には、さらに径が小さい略筒状の導出形成部材４２ａが設けられており、この導出形成部材４２ａによって導出部材４の内径すなわち開口の径が制御されて薬液Ｌが液保持部材５に保持されるようになっている。
【００１９】
導出形成部材４２ａは、導出部４２に挿入される挿入部と、その挿入部の後端部（挿入される側の端部と反対側の端部）に設けられたフランジ部とからなる。その挿入部の外径は、導出部４２の内径と同じ（略同じを含む。）径で形成されていることが好ましい。フランジ部の外径は、導出部４２の外径と同じ（略同じを含む。）径で形成されていることが好ましい。このフランジ部の表面すなわち導出形成部材４２ａの後端面に液保持部材５が当接するようになっている。この導出形成部材４２ａの後端面は、この表面に薬液Ｌが保持されるように表面を粗くする表面粗加工されていてもよい。
【００２０】
また、導出部４２の長さ（軸方向の長さ）は、導出部４２の先端が水入出部７のできるだけ上方に位置されていることが好ましく、例えば、導出部材４の下面の側部の表面と略同じ平面状に位置されている寸法で形成されていることが好ましい。また、導出部材４には、接続部４１内と水入出部７とを連通する連通孔４６が設けられている。また、導出部材４の両短側部近傍には、空気の流通孔４７がそれぞれ設けられている。
【００２１】
水入出部７の長さが短い両側部には、図２〜図４に示すように、導出部材４の両短側部と係合するフック２６がそれぞれ設けられている。水入出部７の底面すなわち供給具本体２の底面上の短い両側部の近傍には、その両側部に略平行に延びる導出部材当接部２７がそれぞれ設けられており、これら導出部材当接部２７に導出部材４が当接すると、導出部材４の両短側部がフック２６と係合して導出部材４がをロック状態で供給具本体２に着脱可能つまり交換可能に取り付けられる。水入出部７の長さが長い両側部の中央部には、水入出部７内に放水管１３からの水の一部が入出する開口部２３が対向してそれぞれ設けられている。この水入出部７の底面上に液保持部材５が設けられている。
【００２２】
液保持部材５は、図２、図３及び図６に示すように、当接部５１と液供給部５２と液担持部８とからなる。当接部５１は、導出部材４の導出部４２の下端部の開口部実質的には導出形成部材４２ａの孔を閉塞するように導出形成部材４２ａに当接するものである。この当接部５１は、矩形平板状に形成されている。液供給部５２は、当接部５１の対向する一方の両側部（２辺）から側部に対して直交する方向に一体的にそれぞれ延びて形成されている。液供給部５２は、矩形板状に形成され、それぞれ下方に傾斜しており、当接部５１と液供給部５２とが細長でブッリジ状に形成されている。液供給部５２の傾斜角度は、当接部５１が導出部４２の下端部に当接する角度に設定される。液供給部５２の先端部は、当接部５１が水入出部７の底面に対して略平行になるように当接部５１と略平行に曲がって載置部５２ａとして形成されている。
【００２３】
当接部５１の導出部４２と接触する箇所には、その長手方向（当接部５１から液供給部５２が延びる方向）に延びる液担持部８として供給溝８１が２個以上例えば１１個近接して並列に設けられている。これら供給溝８１の両端は、いずれも側部まで延びて形成されている。供給溝８１は、導出部４２から薬液Ｌを表面張力によって保持するものであり、薬液Ｌを表面張力によって保持できれば、その形状及び幅は特に限定されず、例えば、断面Ｖ字状、断面Ｕ字状、断面凹字状、断面半円状、断面半楕円状等で形成されていると共に、導出形成部材４２ａの孔径より短い寸法の幅で形成されている。
【００２４】
これらの供給溝８１のうちの導出部４２の開口の略中央に位置されている供給溝８１は、液供給部５２の先端部又はその先端部近傍まで延びて保持溝８２として形成されている。保持溝８２は、薬液Ｌを導出部４２から当接部５１を介して液供給部５２上に案内すると共に表面張力によって保持するものである。この保持溝８２は、供給溝８１と同じ形状でもよいし、違う形状でもよい。また、保持溝８２は、供給溝８１と同じ幅の寸法で形成されてもよいし、供給溝８１の幅と異なる寸法で形成されてもよく、例えば、供給溝８１の幅より若干広い寸法の幅で形成されていることが好ましい。このような液保持部材５が水入出部７の底面上に水流入直交方向に延びるように載置されて設けられる。
【００２５】
また、液保持部材５の当接部５１の表面（供給溝８１が設けられている側の表面）及び液供給部５２の表面（保持溝８２が設けられている側の表面）は、これらの表面に薬液Ｌが保持されるように表面を粗くする表面粗加工されていてもよい。
【００２６】
水入出部７の底面上の導出部材当接部２７近傍には、図２〜図４に示すように、液保持部材５の２つの液供給部５２の先端部の載置部５２ａが水入出部７の底面上の所定の位置に載置されたとき、その底面と略水平方向に液保持部材５の移動を抑制する移動抑制部材２８が立設されている。また、水入出部７の底面上には、所定の位置に載置された液保持部材５の当接部５１の下面が接触する支持部２９が立設されている。この支持部２９は、どのような形状であってもよく、例えば、当接部５１の下面に接触する部分のみが水入出部７の底面上から突出するように形成されてもよく、また、当接部５１の下面に接触する部分が水入出部７の底面上から突出し、この突出した部分から両開口部２３に向かって漸次傾斜して形成されていてもよい。
【００２７】
次に本発明に係る水洗タンク用薬液供給具１の作用を説明する。
【００２８】
薬液容器３の流出部３１を上方に向け、供給具本体２を装着部２１が下方に向くようにすると共に薬液容器３の流出部３１と装着部２１の開口をつき合わせて、供給具本体２の導出部材４の接続部４１を薬液容器３の流出部３１内に挿入して、薬液容器３と接続部４１すなわち導出部４２とを連通させる。このとき、薬液容器３の流出部３１がシール部材３２で覆われているが、接続部４１を流出部３１に挿入したとき、接続部４１の先端部が薬液容器３の流出部３１のシール部材３２を突き破って、接続部４１と薬液容器３とが連通される。突き破られたシール部材３２の一部３２ａは薬液容器３内に入る。
【００２９】
この水洗タンク用薬液供給具１を薬液容器３が上方にした状態で図１に示すように水洗トイレの水洗タンク１１の給水受皿１２に載置する。このとき、挿入脚部２４を水洗タンク１１の排水口に挿入することで、水洗タンク用薬液供給具１を給水受皿１２に安定して載置することができる。このように水洗タンク用薬液供給具１を載置すると、薬液容器３内の薬液Ｌが接続部４１から導出部４２を介して導出部４２の下端部の開口すなわち導出形成部材４２ａの開口を閉塞するように導出形成部材４２ａが液保持部材５の当接部５１に接触する。
【００３０】
このため、導出部４２すなわち導出形成部材４２ａから薬液Ｌが漏れ出すことはないが、当接部５１に２個以上例えば１１個の供給溝８１が設けられているので、薬液Ｌは各供給溝８１内に流入してそこに表面張力によって保持される。導出部４２の開口の略中央に位置されている供給溝８１に流入した薬液Ｌはさらに液供給部５２上の保持溝８２内に流入してそこに保持される。また、導出形成部材４２ａの後端面が表面粗加工されていることで、確実に薬液Ｌが供給溝８１内に流入してそこに保持される。また、液保持部材５の当接部５１の表面及び液供給部５２の表面が表面粗加工されていることで、より確実に薬液Ｌが供給溝８１や保持溝８２等に流入してそこに保持される。
【００３１】
そして、水洗タンク１１の上部の放水管１３から給水受皿１２に向けて水が放出されると、その水の一部が開口部２３から水入出部７内に流入する。この水は、水入出部７内を流れて液供給部５２の保持溝８２に保持されている薬液Ｌを洗い流す。また、保持溝８２の周辺に薬液Ｌが保持されている場合にはその薬液Ｌも洗い流される。この洗い流された薬液Ｌは水と共に開口部２３から水入出部７外に流出して排水口から水洗タンク１１内に供給される。
【００３２】
このとき、薬液Ｌを水洗タンク１１内に供給するための液保持部材５が水入出部７内に水流入直交方向に延びて設けられていると共に、この液保持部材５の当接部５１に供給溝８１が、液供給部５２に保持溝８２がそれぞれ水流入直交方向に延びて設けられているために、開口部２３から水入出部７に流入した水が液供給部５２上を流れて当接部５１に流入し難い。また、保持溝８２が水流入直交方向に延びている、すなわち、開口部２３から水入出部７に流入した水とは直交方向に保持溝８２が設けられているために、水が保持溝８２内をその保持溝８２に沿って流れ難いので、水が薬液容器３に逆流して流入することが防止される。その結果、薬液Ｌが薄まることがなくなり、薬液容器３内の液の濃度も変わることがないので、薬液Ｌが必要以上に排出されてしまうことがない。
【００３３】
また、季節や室温によっては薬液容器３が冷やされて薬液容器３内が負圧になり、水が導出部の開口近傍に流入するとこの水が薬液容器３に吸い込まれて薬液容器３内の薬液Ｌの濃度が変わったりすることがあるが、本発明においては、水が導出部４２の開口部近傍に流入し難いので、薬液容器３内の薬液Ｌの濃度が変わることがない。その結果、季節や室温に関係なく水と共に水入出部７外に流出する薬液Ｌが必要以上に排出されてしまうことがない。
【００３４】
したがって、本発明に係る水洗タンク用薬液供給具１は、液担持部８が水流入直交方向に延びて設けられているために、水が液供給部５２及び液担持部８の長手方向に沿って流れ難いので、水の薬液容器３への逆流が防止されることになり、季節や室温に関係なく水洗タンク１１内に供給される薬液Ｌの量を適正に維持することができる。また、本発明に係る水洗タンク用薬液供給具１は、供給具本体２と薬液容器３と導出部材４と液保持部材５という少ない部材で構成されているので、部品点数を少なくすることができ、コストの低減を図れる。
【産業上の利用可能性】
【００３５】
以上説明したように本発明に係る水洗タンク用薬液供給具は、液担持部が水流入直交方向に延びて設けられていることで、水が液担持部に沿って流れ難いために、水の液供給器への逆流が防止されるので、薬液が必要以上に排出されることがないと共に、部品点数が少なくなり、コストの低減を図れることから、工業的価値は高いものである。
【図面の簡単な説明】
【００３６】
【図１】本発明に係る水洗タンク用薬液供給具を水洗タンクに載置した状態を示す斜視図である。
【図２】本発明に係る水洗タンク用薬液供給具の一例を示す図で、（ａ）は斜視図、（ｂ）は分解斜視図である。
【図３】本発明に係る本発明に係る水洗タンク用薬液供給具の一例を示す断面図である。
【図４】本発明に係る供給具本体の一例を示す図で、（ａ）は側面図、（ｂ）は平面図である。
【図５】本発明に係る導出部材の一例を示す図で、（ａ）は側面図、（ｂ）は平面図である。
【図６】本発明に係る液保持部材の一例を示す斜視図である。
【符号の説明】
【００３７】
１  水洗タンク用薬液供給具
２  供給具本体
３  薬液容器
４  導出部材
５  液保持部材
７  水入出部
８  液担持部
１１  水洗タンク
２３  開口部
２４  挿入脚部
３１  流出部
８１  供給溝
８２  保持溝
【図１】
2006299608.tif 000003
【図２】
2006299608.tif 000004
【図３】
2006299608.tif 000005
【図４】
2006299608.tif 000006
【図５】
2006299608.tif 000007
【図６】
2006299608.tif 000008